(57)【要約】【課題】  開示する広告管理装置は、広告主には、ニーズに応じた広告出稿が可能な広告媒体を確保できるというメリットを、小規模団体には、規模に依らず、スポンサーを獲得可能であるというメリットをそれぞれ与える。【解決手段】  開示する広告管理装置は、広告主の広告を掲載した物品を使用させる候補である団体と該団体が備える属性情報を記憶する記憶手段と、属性情報毎に定められ、広告主が支払うべき広告料について所定の基準金額を調整して決定するための係数情報を記憶する記憶手段と、物品を使用させる団体が備えていることを希望する属性情報を受け付ける手段と、受け付けられた希望する属性情報に条件が合う団体を記憶手段から抽出する手段と、抽出された団体が備える属性情報に対応付けて記憶される係数情報と所定の基準金額とに基づいて広告料を算出する手段と、を有することを特徴とする。【選択図】図２
2019058839.tif 000002
【特許請求の範囲】
【請求項１】
広告主の広告を掲載した物品を使用させる候補である団体と該団体が備える属性情報を記憶する団体情報記憶手段と、
前記属性情報毎に定められ、前記広告主が支払うべき広告料について所定の基準金額を調整して決定するための係数情報を記憶する係数情報記憶手段と、
前記物品を使用させる前記団体が備えていることを希望する前記属性情報を受け付ける広告主希望受付手段と、
前記広告主希望受付手段によって受け付けられた前記希望する属性情報に条件が合う前記団体を前記団体情報記憶手段から抽出する団体情報抽出手段と、
前記団体情報抽出手段によって抽出された前記団体が備える前記属性情報に対応付けて記憶される前記係数情報と前記所定の基準金額とに基づいて前記広告料を算出する広告料算出手段と、を有することを特徴とする広告管理装置。
【請求項２】
前記広告料算出手段が、前記広告主希望受付手段によって受け付けられた複数の前記属性情報それぞれに対応付けて記憶される複数の前記係数情報を掛け合わせて前記所定の基準金額を調整することを特徴とする請求項１に記載の広告管理装置。
【請求項３】
前記団体情報記憶手段において、前記団体が備える属性情報として、前記団体に所属する人数が記憶され、
前記広告主希望受付手段が、前記物品の種類及び前記広告を掲載したい前記物品の数を受け付け、
前記団体情報抽出手段が、前記団体情報記憶手段に記憶される前記団体に所属する人数を参照して、前記物品の数に条件が合う前記団体を抽出し、
前記広告料算出手段が、前記物品の種類に対応する前記所定の基準金額に前記物品の数を掛け合わせて前記広告料を算出することを特徴とする請求項１又は２に記載の広告管理装置。
【請求項４】
前記係数情報記憶手段において、前記広告を掲載する前記物品における位置毎に、前記係数情報が記憶され、
前記広告主希望受付手段が、前記広告を掲載する物品における位置を受け付け、
前記広告料算出手段が、前記物品における位置に対応する前記係数情報に基づいて前記広告料を算出することを特徴とする請求項１乃至３の何れか一に記載の広告管理装置。
【請求項５】
前記広告主希望受付手段が受け付けた情報に基づき前記広告主の広告を掲載した物品を製作し、前記団体情報抽出手段が抽出した前記団体へ前記広告主の広告を掲載した物品を提供するための処理を行う物品提供手段を有することを特徴とする請求項１乃至４の何れか一に記載の広告管理装置。
【請求項６】
前記広告主の広告を掲載した物品の素材又はデザインの変更を含む前記物品の仕様変更の希望を受け付ける団体希望受付手段を有し、
前記物品提供手段が、前記団体希望受付手段によって受け付けられた前記仕様変更の希望を反映させて前記物品を製作することを特徴とする請求項５に記載の広告管理装置。
【請求項７】
変更する前記仕様の内容毎に定められ、前記団体が支払うべき修正料を決定するための金額を記憶する物品修正情報記憶手段と、
前記団体希望受付手段によって受け付けられた前記仕様変更の内容及び前記物品修正情報記憶手段に記憶される金額に基づいて、前記団体が支払うべき修正料を算出する修正料算出手段と、を有することを特徴とする請求項６に記載の広告管理装置。
【請求項８】
前記団体毎に、前記広告料算出手段による処理における前記所定の基準金額を調整する値の最低値を記憶する最低調整値記憶手段を有し、
前記広告料算出手段が、一の前記団体に関する前記広告料を算出するとき、前記一の団体に関する前記最低値より前記所定の基準金額を調整する値が小さい場合、前記所定の基準金額を調整する値に代えて前記一の団体に関する最低値を使用して前記広告料を算出することを特徴とする１乃至７の何れか一に記載の広告管理装置。
【請求項９】
広告主の広告を掲載した物品を使用させる候補である団体と該団体が備える属性情報を記憶する団体情報記憶手段と、前記属性情報毎に定められ、前記広告主が支払うべき広告料について所定の基準金額を調整して決定するための係数情報を記憶する係数情報記憶手段と、を備える広告管理装置における広告管理方法であって、
広告主希望受付手段が、前記物品を使用させる前記団体が備えていることを希望する前記属性情報を受け付けるステップと、
団体情報抽出手段が、前記広告主希望受付手段によって受け付けられた前記希望する属性情報に条件が合う前記団体を前記団体情報記憶手段から抽出するステップと、
広告料算出手段が、前記団体情報抽出手段によって抽出された前記団体が備える前記属性情報に対応付けて記憶される前記係数情報と前記所定の基準金額とに基づいて前記広告料を算出するステップと、を含む広告管理方法。
【請求項１０】
前記広告料算出手段が、前記広告主希望受付手段によって受け付けられた複数の前記属性情報それぞれに対応付けて記憶される複数の前記係数情報を掛け合わせて前記所定の基準金額を調整することを特徴とする請求項９に記載の広告管理方法。
【請求項１１】
前記団体情報記憶手段において、前記団体が備える属性情報として、前記団体に所属する人数が記憶され、
前記広告主希望受付手段が、前記物品の種類及び前記広告を掲載したい前記物品の数を受け付け、
前記団体情報抽出手段が、前記団体情報記憶手段に記憶される前記団体に所属する人数を参照して、前記物品の数に条件が合う前記団体を抽出し、
前記広告料算出手段が、前記物品の種類に対応する前記所定の基準金額に前記物品の数を掛け合わせて前記広告料を算出することを特徴とする請求項９又は１０に記載の広告管理方法。
【請求項１２】
前記係数情報記憶手段において、前記広告を掲載する前記物品における位置毎に、前記係数情報が記憶され、
前記広告主希望受付手段が、前記広告を掲載する物品における位置を受け付け、
前記広告料算出手段が、前記物品における位置に対応する前記係数情報に基づいて前記広告料を算出することを特徴とする請求項９乃至１１の何れか一に記載の広告管理方法。
【請求項１３】
物品提供手段が、前記広告主希望受付手段が受け付けた情報に基づき前記広告主の広告を掲載した物品を製作し、前記団体情報抽出手段が抽出した前記団体へ前記広告主の広告を掲載した物品を提供するための処理を行うステップを含む請求項９乃至１２の何れか一に記載の広告管理方法。
【請求項１４】
団体希望受付手段が、前記広告主の広告を掲載した物品の素材又はデザインの変更を含む前記物品の仕様変更の希望を受け付けるステップを含み、
前記物品提供手段が、前記団体希望受付手段によって受け付けられた前記仕様変更の希望を反映させて前記物品を製作することを特徴とする請求項１３に記載の広告管理方法。
【請求項１５】
前記広告管理装置が、変更する前記仕様の内容毎に定められ、前記団体が支払うべき修正料を決定するための金額を記憶する物品修正情報記憶手段を備え、
修正料算出手段が、前記団体希望受付手段によって受け付けられた前記仕様変更の内容及び前記物品修正情報記憶手段に記憶される金額に基づいて、前記団体が支払うべき修正料を算出するステップと、を含むことを特徴とする請求項１４に記載の広告管理方法。
【請求項１６】
前記広告管理装置が、前記団体毎に、前記広告料算出手段による処理における前記所定の基準金額を調整する値の最低値を記憶する最低調整値記憶手段を備え、
前記広告料算出手段が、一の前記団体に関する前記広告料を算出するとき、前記一の団体に関する前記最低値より前記所定の基準金額を調整する値が小さい場合、前記所定の基準金額を調整する値に代えて前記一の団体に関する最低値を使用して前記広告料を算出することを特徴とする９乃至１５の何れか一に記載の広告管理方法。
【請求項１７】
コンピュータに、請求項９乃至１６の何れか一に記載の方法を実行させるための広告管理プログラム。
【発明の詳細な説明】
【技術分野】
【０００１】
広告主の広告を掲載する物品を希望の条件に合う団体に使用させる場合の広告料を算定する技術に関する。
【背景技術】
【０００２】
プロスポーツのチームにおいては、スポンサーを募って、ユニフォーム等に広告を掲載し、その見返りとして広告料を取得するビジネス形態が普及しており、スポンサーから受け取る広告料はチームの運営に充当される。【０００３】
そういったスポンサー（広告主）は、ユニフォームに掲載された広告が露出され、スポンサーの商品・サービス又は会社自体が広く世間に知られることを期待する一方、掛けた広告費に対し適正な効果が見込まれる広告を出稿したいというニーズを有する。【０００４】
そういった背景下、広告の費用対効果を向上させるための研究開発は盛んに行われており、例えば、特許文献１では、「時間」に関する所定の条件で発行または消費される販促ポイントの売買を介した広告方法が提案されている。
【先行技術文献】
【特許文献】
【０００５】
【特許文献１】特開２０１６−１１５０９４号公報
【発明の概要】
【発明が解決しようとする課題】
【０００６】
ところで、大学のサークル・ママさんバレーなど比較的規模の小さいアマチュアスポーツの団体が潤沢な運営資金を有するケースは稀である。一方で企業等の広告主は、適正な費用対効果が見込まれる広告の出稿ニーズを有しているものの、従来、そういった広告主と小規模団体とを広告という観点から仲介する技術が提案されていないという問題点があった。【０００７】
そこで本発明では、上記問題点に鑑み、広告主には、ニーズに応じた広告出稿が可能な広告媒体を確保できるというメリットを、小規模団体には、規模に依らず、スポンサーを獲得可能であるというメリットをそれぞれ与える広告管理装置を提供することを目的とする。
【課題を解決するための手段】
【０００８】
開示する広告管理装置の一形態は、広告主の広告を掲載した物品を使用させる候補である団体と該団体が備える属性情報を記憶する団体情報記憶手段と、前記属性情報毎に定められ、前記広告主が支払うべき広告料について所定の基準金額を調整して決定するための係数情報を記憶する係数情報記憶手段と、前記物品を使用させる前記団体が備えていることを希望する前記属性情報を受け付ける広告主希望受付手段と、前記広告主希望受付手段によって受け付けられた前記希望する属性情報に条件が合う前記団体を前記団体情報記憶手段から抽出する団体情報抽出手段と、前記団体情報抽出手段によって抽出された前記団体が備える前記属性情報に対応付けて記憶される前記係数情報と前記所定の基準金額とに基づいて前記広告料を算出する広告料算出手段と、を有することを特徴とする。
【発明の効果】
【０００９】
開示する広告管理装置は、広告主には、ニーズに応じた広告出稿が可能な広告媒体を確保できるというメリットを、小規模団体には、規模に依らず、スポンサーを獲得可能であるというメリットをそれぞれ与える。
【図面の簡単な説明】
【００１０】
【図１】本実施の形態に係る広告管理装置の概要を説明する図である。
【図２】本実施の形態に係る広告管理装置の機能ブロック図である。
【図３】本実施の形態に係る団体情報記憶手段の一例を示す図である。
【図４】本実施の形態に係る広告を掲載する物品の一例を示す図である。
【図５】本実施の形態に係る係数情報記憶手段の一例を示す図である。
【図６】本実施の形態に係る最低調整値記憶手段の一例を示す図である。
【図７】本実施の形態に係る物品修正情報記憶手段の一例を示す図である。
【図８】本実施の形態に係る広告管理装置のハードウエア構成例を示す図である。
【図９】本実施の形態に係る広告管理装置による団体情報登録処理の一例の流れを示すフローチャートである。
【図１０】本実施の形態に係る本実施の形態に係る広告管理装置による広告主と団体とのマッチング処理の一例の流れを示すフローチャートである。
【発明を実施するための形態】
【００１１】
図面を参照しながら、本発明を実施するための形態について説明する。
（本実施の形態に係る広告管理装置の動作原理）
【００１２】
図１乃至７を用いて、本実施の形態にかかる広告管理装置１００の動作原理について説明する。図１は、広告管理装置１００と他装置との接続を説明する図である。図１で示すように、広告管理装置１００は、通信ネットワーク３６０を介して、広告主３１０が操作する広告主端末３７０やアマチュアスポーツの団体など比較的小規模の団体３３０が操作する団体端末３８０と接続される。通信ネットワーク３６０は、有線又は無線どちらの形態でも良い。
【００１３】
広告管理装置１００は、強力な資金調達手段を特段有さない団体３３０について、団体３３０に所属する人数、団体３３０を構成する人の特徴（団体構成員が所属する学校等）、団体３３０の活動内容、団体３３０が活動する地域のような属性情報３４０を保持する。一方、広告管理装置１００は、広告を掲載した物品（例えば、ユニフォーム）３２０を使用させ、自己の商品又はサービス若しくは自己そのものを世間に露出させることによる宣伝広告効果を期待する広告主３１０から、広告媒体として希望する団体３３０の属性情報３４０を受け付ける。
【００１４】
広告管理装置１００は、保有する団体３３０の属性情報３４０に基づいて、広告主３１０が希望する特徴を備える団体３３０を抽出し提案すると共に、団体３３０が備える属性情報３４０の市場価値に基づいて広告主３１０が支払うべき広告料を算出する。広告管理装置１００は、広告主３１０への提案が受け入れられれば、広告を掲載した物品（例えば、ユニフォーム）３２０を製作するための処理を行い、団体３３０へ広告を掲載した物品（例えば、ユニフォーム）３２０を提供する。
【００１５】
このように、広告管理装置１００は、広告主３１０には、ニーズに応じた広告出稿が可能な広告媒体を確保できるというメリットを、小規模団体３３０には、規模に依らず、スポンサーを獲得可能であるというメリットをそれぞれ提供する。
【００１６】
図２は、広告管理装置１００の機能ブロック図である。図２で示すように、広告管理装置１００は、団体情報記憶手段１１０、係数情報記憶手段１２０、物品修正情報記憶手段１３０、最低調整値記憶手段１４０、広告主希望受付手段１５０、団体情報抽出手段１６０、広告料算出手段１７０、団体希望受付手段１８０、修正料算出手段１９０、物品提供手段２００を有する。
【００１７】
団体情報記憶手段１１０は、広告主３１０の広告を掲載した物品３２０を使用させる候補である団体３３０について、団体３３０が備える属性情報３４０を記憶する。物品３２０は、団体３３０が活動を行うときにその活動において使用するものが想定され、例えば、ユニフォーム、Ｔシャツ、短パン、ジャージ等、その内容は限定されるものではない。
【００１８】
団体３３０は、大学のサークル、地域のママさんバレーボールチーム等、比較的小規模であり、強力な資金調達手段を有しない団体である。団体３３０は、スポーツを行うことを目的とする団体であっても良いし、文化系の活動を行うことを目的とする団体であっても良い。つまり、広告主３１０が広告媒体としての価値があると考えれば、広告主３１０は資金を拠出するので、団体３３０の活動の目的は限定されない。
【００１９】
属性情報３４０は、団体３３０に所属する人の数、身分、学校、年齢層、団体３３０の活動地域、活動内容等であり、広告主３１０が広告媒体としての価値を見出す項目としての意義を有するのであれば、その内容は限定されるものではない。
【００２０】
図３で示すように、団体情報記憶手段１１０は、団体３３０：団体Ａについての属性情報３４０として、所属人数：５０名、身分：大学生、構成員が通学する学校：ＫＯ大学、年齢層：２０歳代、活動地域：東京都／２３区内、活動内容：テニス等の情報を記憶する。また、団体情報記憶手段１１０は、団体３３０：団体Ｅについての属性情報３４０として、所属人数：２０名、身分：主婦、団体の性質：地域サークル、年齢層：４０歳代、活動地域：埼玉県／さいたま市、活動内容：バレーボール等の情報を記憶する。
【００２１】
係数情報記憶手段１２０は、広告主３１０が支払うべき広告料について所定の基準金額を調整して決定するための係数情報３５０を記憶する。係数情報３５０は、広告主３１０の広告を掲載する物品３２０における位置毎に定められる情報であっても良い。図４で示すように、例えば、物品３２０がＴシャツである場合、物品３２０における位置とは、胸中央（位置Ａ）、左胸元（位置Ｂ）、右肩（位置Ｃ）、左肩（位置Ｄ）、背中上部中央（位置Ｅ）等を指す。
【００２２】
係数情報３５０は、属性情報３４０の内容毎に定められる情報であっても良く、例えば、団体３３０に所属する人の数、身分、学校、年齢層、団体３３０の活動地域、活動内容等の具体的な内容毎に定められる情報であっても良い。
【００２３】
また、係数情報３５０は、物品３２０上の位置及び団体３３０が備える特徴を細分化し、その細分化されたものそれぞれについての広告媒体としての市場価値を表している。広告主３１０が支払うべき広告料は、所定の基準金額に、広告主３１０が選択した内容に応じた係数情報３５０を掛けて算出され、選択した物品３２０上の位置又は団体３３０が市場価値の高い特徴を多く有する場合、その金額が高くなる仕組みである。このように広告管理装置１００における広告料は、選択した物品３２０上の位置又は団体３３０が備える（広告媒体としての）市場価値に応じ合理的に算定される。
【００２４】
図５で示すように、係数情報記憶手段１２０は、例えば、物品３２０：Ｔシャツの位置Ａを選択した場合の係数情報３５０を“１．３０”と、物品３２０：Ｔシャツの位置Ｃを選択した場合の係数情報３５０を“１．００”とそれぞれ記憶する。この場合、物品３２０：Ｔシャツの位置Ｃよりも物品３２０：Ｔシャツの位置Ａの方が、広告媒体としての市場価値が高いと評価されていることを意味する。
【００２５】
図５で示すように、係数情報記憶手段１２０は、例えば、属性情報３４０：大学生を選択した場合の係数情報３５０を“１．０３”と、属性情報３４０：ＫＯ大学に在籍する大学生を選択した場合の係数情報３５０を“１．１０”とそれぞれ記憶する。この場合、属性情報３４０：大学生よりも属性情報３４０：ＫＯ大学に在籍する大学生の方が、広告媒体としての市場価値が高いと評価されていることを意味する。
【００２６】
最低調整値記憶手段１４０は、物品３２０上の位置／団体３３０／団体３３０が備える所定の属性情報３４０毎に、後述の広告料算出処理において“所定の基準金額”を調整する値の最低値（最低調整値）を記憶する。広告料算出処理において、選択された物品３２０上の位置／団体３３０の市場価値が高いにも拘らず、算出される広告料が不当に低くなることを回避するための措置である。
【００２７】
図６で示すように、最低調整値記憶手段１４０は、例えば、団体３３０：団体Ａについて、最低調整値：１．５０と、団体３３０：団体Ｂについて、最低調整値：１．４０と、それぞれ記憶する。また、最低調整値記憶手段１４０は、例えば、団体３３０が備える所定の属性情報３４０：ＫＯ大学について、最低調整値：１．４０と、団体３３０が備える所定の属性情報３４０：５０名以上について、最低調整値：１．２０と、それぞれ記憶する。
【００２８】
物品修正情報記憶手段１３０は、団体３３０の希望に応じ素材又はデザインの変更を含む物品３２０の仕様変更を行う場合に団体３３０が支払うべき修正料を決定するための金額を、仕様変更する内容毎に記憶する。つまり、物品３２０に付すオプション料金を項目毎に定めるものである。
【００２９】
図７で示すように、物品修正情報記憶手段１３０は、例えば、物品３２０の生地を生地Ｂにグレードアップする場合の金額を２００単位（２００円・１着毎）と、チームロゴを胸元に刺しゅうする場合の金額を５００単位（２００円・１着毎）と、それぞれ記憶する。
【００３０】
広告主希望受付手段１５０は、広告主端末３７０から、物品３２０の種類、物品数、広告挿入形態（位置、字体、大きさ、文字又はロゴ等）、団体３２０の属性等を指定する要求を受け付ける。広告主希望受付手段１５０は、物品３２０の数・種類、物品３２０上で広告を掲載する位置、物品３２０を使用させる団体３３０が備えていることを希望する属性情報３４０を受け付ける。これは、広告主３１０が希望する広告媒体の仕様を特定するための処理である。
【００３１】
広告主希望受付手段１５０は、例えば、物品３２０：Ｔシャツを１００枚、広告掲載位置：Ａ、ＫＯ大学又はＷ大学に在籍する大学生のスポーツ系団体を要求し、その要求を受け付ける。
【００３２】
団体情報抽出手段１６０は、広告主希望受付手段１５０によって受け付けた要求に係る条件を満たす団体３３０の抽出・選択処理を行う。団体情報抽出手段１６０は、広告主希望受付手段１５０によって受け付けられた広告主３１０が希望する属性情報３４０に条件が合う団体３３０を団体情報記憶手段１１０から抽出する。
【００３３】
団体情報抽出手段１６０は、団体情報記憶手段１１０に記憶される団体３３０に所属する人数を参照して、広告主３１０が要求する物品数に条件が合う団体３３０を抽出する。このとき、団体情報抽出手段１６０が抽出する団体３３０は１つであっても良く、複数であっても良い。
【００３４】
図３で示すように、例えば、物品３２０：Ｔシャツを１００枚、ＫＯ大学又はＷ大学に在籍する大学生のスポーツ系団体という要求が受け付けられた場合、団体情報抽出手段１６０は、団体情報記憶手段１１０に記憶される情報を参照して、団体Ａ及び団体Ｂを抽出する。
【００３５】
広告料算出手段１７０は、広告主３１０から受け付けた要求に係る価格算定処理を行う。広告料算出手段１７０は、団体情報抽出手段１６０によって抽出された団体３３０が備える属性情報３４０に対応付けて記憶される係数情報３５０と所定の基準金額とに基づいて広告料を算出する。広告料算出手段１７０は、広告主希望受付手段１５０によって受け付けられた複数の属性情報３４０それぞれに対応付けて記憶される複数の係数情報３５０を掛け合わせて広告料を算出する。
【００３６】
ここで、所定の基準金額とは、物品３２０の種類毎に定められる単価である。広告料算出手段１７０は、広告主希望受付手段１５０によって受け付けられた物品３２０の数に基づいて広告料を算出する。広告料算出手段１７０は、所定の基準金額に、広告主希望受付手段１５０によって受け付けられた物品３２０の数を掛け合わせることによって広告料を算出する。
【００３７】
広告料算出手段１７０は、物品３２０における広告掲載位置に基づいて広告料を算出する。広告料算出手段１７０は、所定の基準金額に、物品３２０における広告掲載位置に対応付けて記憶される係数情報３５０を掛け合わせて広告料を算出する。
【００３８】
上記のように、複数の要素が広告料算定処理に関係する場合、広告料算出手段１７０は、所定の基準金額に、各要素に対応する係数情報３５０全てを掛け合わせて広告料を算定する。
【００３９】
広告料算出手段１７０は、例えば、団体Ａ分の広告料として、所定の基準金額（Ｔシャツの単価）：３，０００円×物品３２０の数：５０枚×広告掲載位置Ａの係数情報３５０：１．３０×ＫＯ大学に在籍する大学生の係数情報３５０：１．１０×スポーツ系団体の係数情報３５０：１．００＝２１４，５００円を算出する。
【００４０】
さらに、広告料算出手段１７０は、例えば、団体Ｂ分の広告料として、Ｔシャツの単価：３，０００円×物品３２０の数：５０枚×広告掲載位置Ａの係数情報３５０：１．３０×Ｗ大学に在籍する大学生の係数情報３５０：１．１０×スポーツ系団体の係数情報３５０：１．００＝２１４，５００円を算出する。
【００４１】
広告主希望受付手段１５０によって受け付けられる項目数が少ない場合、つまり、広告主３１０の要求する要素が少ない場合、広告料算出手段１７０の算出する広告料が不当に低くなる恐れがある。広告料が不当に低くなるとは、選択された団体３３０の市場価値が高いにも拘らず、広告主３１０が支払うべき広告料が本来あるべき水準よりも低くなるという意である。
【００４２】
上記問題を解決するために、一の団体３３０に関する広告料算出処理において、所定の基準金額を調整する値（調整値）が、物品３２０上の位置／団体３３０／団体３３０が備える所定の属性情報３４０毎に定められる最低調整値より小さい場合、広告料算出手段１７０は、係数情報３５０を用いた調整値に代えて最低調整値を使用して広告料を算出する。
【００４３】
広告料算出手段１７０は、例えば、団体Ａ分の広告料算出処理において、広告掲載位置Ａの係数情報３５０：１．３０×ＫＯ大学に在籍する大学生の係数情報３５０：１．１０×スポーツ系団体の係数情報３５０：１．００＝１．４３（調整値）と、最低調整値：１．５０とを比較する。調整値：１．４３＜最低調整値：１．５０であるため、広告料算出手段１７０は、団体Ａ分の広告料として、所定の基準金額（Ｔシャツの単価）：３，０００円×物品３２０の数：５０枚×最低調整値：１．５０＝２２５，０００円を算出する。
【００４４】
広告料算出手段１７０は、例えば、団体Ｂ分の広告料算出処理において、広告掲載位置Ａの係数情報３５０：１．３０×Ｗ大学に在籍する大学生の係数情報３５０：１．１０×スポーツ系団体の係数情報３５０：１．００＝１．４３（調整値）と、最低調整値：１．４０とを比較する。調整値：１．４３＞最低調整値：１．４０であるため、広告料算出手段１７０は、団体Ａ分の広告料として、Ｔシャツの単価：３，０００円×物品３２０の数：５０枚×広告掲載位置Ａの係数情報３５０：１．３０×Ｗ大学に在籍する大学生の係数情報３５０：１．１０×スポーツ系団体の係数情報３５０：１．００＝２１４，５００円を算出する。
【００４５】
団体希望受付手段１８０は、広告媒体として選択された団体３３０から、広告主３１０の広告を掲載した物品３２０に係る修正希望の受付処理を行う。団体希望受付手段１８０は、物品３２０の素材又はデザインの変更を含む物品３２０に係る仕様変更の希望を受け付ける。物品３２０に係る仕様変更とは、例えば、生地を基本のものからグレードアップしたり、チームのロゴを物品３２０の背面にプリントしたり、チームのロゴを物品３２０の胸元に刺しゅうで入れたりすることである。
【００４６】
修正料算出手段１９０は、団体希望受付手段１８０によって受け付けられた物品３２０に係る仕様変更の内容及び物品修正情報記憶手段１３０に記憶される金額に基づいて、団体３３０が支払うべき修正料（清算する必要のある金額）を算出する。修正料算出手段１９０は、物品修正情報記憶手段１３０において物品３２０に係る仕様変更の内容に対応付けて記憶される金額に、製作される物品３２０の数を掛けることによって、団体３３０が支払うべき修正料を算出する。
【００４７】
図７で示すように、団体Ａから「生地を生地Ｃにアップグレードすること」、「チームロゴをバックプリントすること」、「チームロゴを胸元に刺しゅうすること」の希望を受け付けた場合を想定する。このとき、修正料算出手段１９０は、団体Ａの修正料として、物品３２０の数：５０枚×生地Ｃへグレードアップ：３００円＋物品３２０の数：５０枚×チームロゴ・バックプリント：２００円＋物品３２０の数：５０枚×チームロゴ・胸元刺しゅう：５００円＝５０，０００円を算出する。
【００４８】
図７で示すように、団体Ｂから「生地を生地Ｂにアップグレードすること」の希望を受け付けた場合を想定する。このとき、修正料算出手段１９０は、団体Ｂの修正料として、物品３２０の数：５０枚×生地Ｂへグレードアップ：２００円＝１０，０００円を算出する。このような処理を行うことによって、各団体３３０の意向を反映させた物品３２０を提供できるようになるため、団体３３０の満足度を高めることができる。
【００４９】
物品供給手段２００は、広告主希望受付手段１５０が受け付けた情報に基づき広告主３１０の広告を掲載した物品３２０を製作し、団体情報抽出手段１６０が抽出した団体３３０へ広告主３１０の広告を掲載した物品３２０を提供するための処理を行う。
【００５０】
団体３３０から物品３２０に係る仕様変更の希望を受け付けた場合、物品供給手段２００は、団体希望受付手段１８０によって受け付けられた仕様変更の希望を反映させた物品３２０を製作し、団体３３０へ物品３２０を提供するための処理を行う。
【００５１】
物品供給手段２００は、例えば、団体Ａ向けに、広告位置：Ａにスポンサー名を記載したＴシャツ（生地Ｃ、団体Ａのチームロゴ・バックプリント、団体Ａのチームロゴ・胸刺しゅう）を５０枚作成し、配送する処理を行う。また、物品供給手段２００は、例えば、団体Ｂ向けに、広告位置：Ａにスポンサー名を記載したＴシャツ（生地Ｂ）を５０枚作成し、配送する処理を行う。
【００５２】
上記のような処理を行うことによって、広告管理装置１００は、広告主３１０には、ニーズに応じた広告出稿が可能な広告媒体を確保できるというメリットを、小規模団体３３０には、規模に依らず、スポンサーを獲得可能であるというメリットをそれぞれ提供する。
【００５３】
また、広告管理装置１００は、企業３１０とアマチュア団体３３０との橋渡しを行うことによって、前者には優良な広告媒体を確保させ、後者には団体の運営負担を軽減させることができる。
【００５４】
広告管理装置１００による企業側３１０が受けるメリットとしては、高いロイヤリティを持った見込み客の獲得、ニーズに応じた広告媒体の確保、合理的な算出根拠による広告出稿という点が挙げられる。広告管理装置１００による団体側３３０が受けるメリットとしては、ユニフォーム類の無料・低価格での入手、団体３３０の規模に依らずスポンサー獲得可能という点が挙げられる。
（本実施の形態に係る広告管理装置のハードウエア構成）
【００５５】
図８を用いて、広告管理装置１００のハードウエア構成例について説明する。図８は、広告管理装置１００のハードウエア構成の一例を示す図である。図８で示すように、広告管理装置１００は、ＣＰＵ（Central Processing Unit）４１０、ＲＯＭ（Read-Only Memory）４２０、ＲＡＭ（Random Access Memory）４３０、補助記憶装置４４０、通信Ｉ／Ｆ４５０、入力装置４６０、出力装置（表示装置）４７０、記録媒体Ｉ／Ｆ４８０を有する。
【００５６】
ＣＰＵ４１０は、ＲＯＭ４２０に記憶されたプログラムを実行する装置であり、ＲＡＭ４３０に展開（ロード）されたデータを、プログラムの命令に従って演算処理し、広告管理装置１００全体を制御する。ＲＯＭ４２０は、ＣＰＵ４１０が実行するプログラムやデータを記憶している。ＲＡＭ４３０は、ＣＰＵ４１０でＲＯＭ４２０に記憶されたプログラムを実行する際に、実行するプログラムやデータが展開（ロード）され、演算の間、演算データを一時的に保持する。
【００５７】
補助記憶装置４４０は、基本ソフトウエアであるＯＳ（Operating System）や本実施の形態に係るアプリケーションプログラムなどを、関連するデータとともに記憶する装置であり、例えば、ＨＤＤ（Hard Disc Drive）やフラッシュメモリなどである。
【００５８】
通信Ｉ／Ｆ４５０は、有線・無線ＬＡＮ（Local Area Network）、インターネットなどの通信ネットワーク３６０に接続し、通信機能を提供する他装置３７０、３８０とデータの授受を行うためのインターフェースである。
【００５９】
入力装置４６０は、キーボードやタッチパネルなど広告管理装置１００にデータ入力を行うための装置である。出力装置４７０は、ＬＣＤ（Liquid Crystal Display）等で構成される装置であり、広告管理装置１００が有する機能をユーザーが利用する際や各種設定を行う際のユーザーインターフェースとして機能する装置である。
記録媒体Ｉ／Ｆ４８０は、ＣＤ−ＲＯＭ、ＤＶＤ−ＲＯＭ、ＵＳＢメモリなどの記録媒体４９０とデータの送受信を行うためのインターフェースである。
【００６０】
広告管理装置１００が有する各手段は、ＣＰＵ４１０が、ＲＯＭ４２０又は補助記憶装置４４０に記憶された各手段に対応するプログラムを実行することにより実現される形態としても良い。また、広告管理装置１００が有する各手段は、当該各手段に関する処理をハードウエアとして実現される形態としても良い。また、通信Ｉ／Ｆ４５０を介して外部サーバー装置から本発明に係るプログラムを読み込ませたり、記録媒体Ｉ／Ｆ４８０を介して記録媒体４９０から本発明に係るプログラムを読み込ませたりして、広告管理装置１００に当該プログラムを実行させる形態としても良い。
（本実施の形態に係る広告管理装置による処理例）
（１）広告管理装置１００による団体情報登録処理
【００６１】
図９を用いて、広告管理装置１００による団体情報登録処理について説明する。図９は、広告管理装置１００による団体情報登録処理の一例の流れを示すフローチャートである。
【００６２】
Ｓ１０で広告管理装置１００が、団体端末３８０から、団体３３０について、その団体３３０が備える属性情報３４０を受け付け、受け付けた情報を団体情報記憶手段１１０に記憶させる。
【００６３】
図３で示すように、広告管理装置１００は、団体Ａが操作する端末３８０から、団体３３０：団体Ａについての属性情報３４０として、所属人数：５０名、身分：大学生、構成員が通学する学校：ＫＯ大学、年齢層：２０歳代、活動地域：東京都／２３区内、活動内容：テニス等の情報を受け付け、それらを団体情報記憶手段１１０に記憶させる。
【００６４】
また、広告管理装置１００は、団体Ｅが操作する端末３８０から、団体３３０：団体Ｅについての属性情報３４０として、所属人数：２０名、身分：主婦、団体の性質：地域サークル、年齢層：４０歳代、活動地域：埼玉県／さいたま市、活動内容：バレーボール等の情報を受け付け、それらを団体情報記憶手段１１０に記憶させる。
【００６５】
上記のような処理を行うことによって、広告管理装置１００は、広告主３１０と団体３３０とのマッチング処理を実現可能とする基礎データを入手・保持することができる。
（２）広告管理装置１００による広告主３１０と団体３３０とのマッチング処理
【００６６】
図１０を用いて、広告管理装置１００による広告主３１０と団体３３０とのマッチング処理について説明する。図１０は、広告管理装置１００による広告主３１０と団体３３０とのマッチング処理の一例の流れを示すフローチャートである。
【００６７】
Ｓ１１０で広告主希望受付手段１５０が、広告主端末３７０から、物品３２０の種類・数、物品３２０上で広告を掲載する位置、物品３２０を使用させる団体３３０が備えていることを希望する属性情報３４０を受け付ける。これは、広告主３１０が希望する広告媒体の仕様を特定するための処理である。
【００６８】
ここで、広告主希望受付手段１５０は、物品３２０：Ｔシャツを１００枚、広告掲載位置：Ａ、ＫＯ大学又はＷ大学に在籍する大学生のスポーツ系団体を要求し、その要求を受け付けるものとする。
【００６９】
Ｓ１２０で団体情報抽出手段１６０が、Ｓ１１０において受け付けられた広告主３１０が希望する属性情報３４０に条件が合う団体３３０を団体情報記憶手段１１０から抽出する。団体情報抽出手段１６０は、団体情報記憶手段１１０に記憶される団体３３０に所属する人数を参照して、広告主３１０が要求する物品数に条件が合う団体３３０を抽出する。
図３で示すように、団体情報抽出手段１６０は、団体情報記憶手段１１０に記憶される情報を参照して、団体Ａ及び団体Ｂを抽出する。
【００７０】
Ｓ１３０で広告料算出手段１７０が、Ｓ１２０において抽出された団体３３０が備える属性情報３４０に対応付けて記憶される係数情報３５０と所定の基準金額とに基づいて広告料を算出する。広告料算出手段１７０は、広告主希望受付手段１５０によって受け付けられた複数の属性情報３４０それぞれに対応付けて記憶される複数の係数情報３５０を掛け合わせて広告料を算出する。
【００７１】
広告料算出手段１７０は、所定の基準金額に、Ｓ１２０において受け付けられた物品３２０の数を掛け合わせることによって広告料を算出する。また、広告料算出手段１７０は、所定の基準金額に、物品３２０における広告掲載位置に対応付けて記憶される係数情報３５０を掛け合わせて広告料を算出する。
【００７２】
広告料算出手段１７０は、団体Ａ分の広告料として、所定の基準金額（Ｔシャツの単価）：３，０００円×物品３２０の数：５０枚×広告掲載位置Ａの係数情報３５０：１．３０×ＫＯ大学に在籍する大学生の係数情報３５０：１．１０×スポーツ系団体の係数情報３５０：１．００＝２１４，５００円を算出する。
【００７３】
さらに、広告料算出手段１７０は、団体Ｂ分の広告料として、Ｔシャツの単価：３，０００円×物品３２０の数：５０枚×広告掲載位置Ａの係数情報３５０：１．３０×Ｗ大学に在籍する大学生の係数情報３５０：１．１０×スポーツ系団体の係数情報３５０：１．００＝２１４，５００円を算出する。
【００７４】
なお、広告料算出手段１７０は、選択された団体３３０の市場価値が高いにも拘らず、広告主３１０が支払うべき広告料が本来あるべき水準よりも低くなることを回避するために、下記のような処理を行う形態としても良い。
【００７５】
図６で示すように、広告料算出手段１７０は、団体Ａ分の広告料算出処理において、広告掲載位置Ａの係数情報３５０：１．３０×ＫＯ大学に在籍する大学生の係数情報３５０：１．１０×スポーツ系団体の係数情報３５０：１．００＝１．４３（調整値）と、最低調整値：１．５０とを比較する。調整値：１．４３＜最低調整値：１．５０であるため、広告料算出手段１７０は、団体Ａ分の広告料として、所定の基準金額（Ｔシャツの単価）：３，０００円×物品３２０の数：５０枚×最低調整値：１．５０＝２２５，０００円を算出する。
【００７６】
図６で示すように、広告料算出手段１７０は、団体Ｂ分の広告料算出処理において、広告掲載位置Ａの係数情報３５０：１．３０×Ｗ大学に在籍する大学生の係数情報３５０：１．１０×スポーツ系団体の係数情報３５０：１．００＝１．４３（調整値）と、最低調整値：１．４０とを比較する。調整値：１．４３＞最低調整値：１．４０であるため、広告料算出手段１７０は、団体Ａ分の広告料として、Ｔシャツの単価：３，０００円×物品３２０の数：５０枚×広告掲載位置Ａの係数情報３５０：１．３０×Ｗ大学に在籍する大学生の係数情報３５０：１．１０×スポーツ系団体の係数情報３５０：１．００＝２１４，５００円を算出する。
【００７７】
Ｓ１３０で広告管理装置１００が、広告料算出手段１７０によって算出された広告料について、広告主３１０との間で清算（決済）を行う。広告料は、法定通貨を用いて清算されても良く、仮想通貨を用いて清算されても良い。なお、広告管理装置１００は、広告主３１０と広告料の清算を行う前に、広告媒体として選択された団体３３０に対し、広告主３１０の広告を掲載した物品３２０が作製・提供されることの了解を得る処理を行う形態としても良い。団体３３０の意向を確認し、団体３３０の不満を事前回避することによって、団体３３０の満足度を向上させることができる。
【００７８】
Ｓ１４０で団体希望受付手段１８０が、広告媒体として選択された団体３３０から、物品３２０の素材又はデザインの変更を含む物品３２０に係る仕様変更の希望を受け付ける。物品３２０に係る仕様変更とは、例えば、生地を基本のものからグレードアップしたり、チームのロゴを物品３２０の背面にプリントしたり、チームのロゴを物品３２０の胸元に刺しゅうで入れたりすることである。
【００７９】
団体希望受付手段１８０は、団体Ａから「生地を生地Ｃにアップグレードすること」、「チームロゴをバックプリントすること」、「チームロゴを胸元に刺しゅうすること」の希望を受け付ける。また、団体希望受付手段１８０は、団体Ｂから「生地を生地Ｂにアップグレードすること」の希望を受け付ける。
【００８０】
Ｓ１５０で修正料算出手段１９０が、Ｓ１４０において受け付けた物品３２０に係る仕様変更の内容及び物品修正情報記憶手段１３０に記憶される金額に基づいて、団体３３０が支払うべき修正料（清算する必要のある金額）を算出する。修正料算出手段１９０は、物品修正情報記憶手段１３０において物品３２０に係る仕様変更の内容に対応付けて記憶される金額に、製作される物品３２０の数を掛けることによって、団体３３０が支払うべき修正料を算出する。
【００８１】
図７で示すように、修正料算出手段１９０は、団体Ａの修正料として、物品３２０の数：５０枚×生地Ｃへグレードアップ：３００円＋物品３２０の数：５０枚×チームロゴ・バックプリント：２００円＋物品３２０の数：５０枚×チームロゴ・胸元刺しゅう：５００円＝５０，０００円を算出する。
【００８２】
図７で示すように、修正料算出手段１９０は、団体Ｂの修正料として、物品３２０の数：５０枚×生地Ｂへグレードアップ：２００円＝１０，０００円を算出する。このような処理を行うことによって、各団体３３０の意向を反映させた物品３２０を提供できるようになるため、団体３３０の満足度を高めることができる。
【００８３】
Ｓ１５０で広告管理装置１１０が、修正料算出手段１９０によって算出された修正料について、団体３３０との間で清算（決済）を行う。修正料は、法定通貨を用いて清算されても良く、仮想通貨を用いて清算されても良い。
【００８４】
Ｓ１６０で物品供給手段２００が、Ｓ１１０において受け付けた情報に基づき広告主３１０の広告を掲載した物品３２０を製作し、Ｓ１２０において抽出された団体３３０へ広告主３１０の広告を掲載した物品３２０を提供するための処理を行う。
【００８５】
加えて、物品供給手段２００は、Ｓ１４０において受け付けた仕様変更の希望を反映させた物品３２０を製作し、団体３３０へ物品３２０を提供するための処理を行う。
【００８６】
物品供給手段２００は、団体Ａ向けに、広告位置：Ａにスポンサー名を記載したＴシャツ（生地Ｃ、団体Ａのチームロゴ・バックプリント、団体Ａのチームロゴ・胸刺しゅう）を５０枚作成し、配送する処理を行う。また、物品供給手段２００は、団体Ｂ向けに、広告位置：Ａにスポンサー名を記載したＴシャツ（生地Ｂ）を５０枚作成し、配送する処理を行う。
【００８７】
上記のような処理を行うことによって、広告管理装置１００は、広告主３１０には、ニーズに応じた広告出稿が可能な広告媒体を確保できるというメリットを、小規模団体３３０には、規模に依らず、スポンサーを獲得可能であるというメリットをそれぞれ提供する。
【００８８】
また、広告管理装置１００は、企業３１０とアマチュア団体３３０との橋渡しを行うことによって、前者には優良な広告媒体を確保させ、後者には団体の運営負担を軽減させることができる。
【００８９】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００９０】
１００  広告管理装置
１１０  団体情報記憶手段
１２０  係数情報記憶手段
１３０  物品修正情報記憶手段
１４０  最低調整値記憶手段
１５０  広告主希望受付手段
１６０  団体情報抽出手段
１７０  広告料算出手段
１８０  団体希望受付手段
１９０  修正料算出手段
２００  物品提供手段
３１０  広告主
３２０  広告主の広告を掲載した物品
３３０  小規模団体
３４０  小規模団体が備える属性情報
３５０  係数情報
３６０  通信ネットワーク
３７０  広告主が操作する端末
３８０  小規模団体が操作する端末
４１０  ＣＰＵ
４２０  ＲＯＭ
４３０  ＲＡＭ
４４０  補助記憶装置
４５０  通信インターフェース
４６０  入力装置
４７０  出力装置（表示装置）
４８０  記録媒体インターフェース
４９０  記録媒体
【図１】
2019058839.tif 000003
【図２】
2019058839.tif 000004
【図３】
2019058839.tif 000005
【図４】
2019058839.tif 000006
【図５】
2019058839.tif 000007
【図６】
2019058839.tif 000008
【図７】
2019058839.tif 000009
【図８】
2019058839.tif 000010
【図９】
2019058839.tif 000011
【図１０】
2019058839.tif 000012
【国際調査報告】
2019058839.tif 000013
2019058839.tif 000014
2019058839.tif 000015
2019058839.tif 000016